(57)【要約】【課題】車両内装部材の構成部分および物品収納部の構成部分によりダンパー効果を発現し得る構成とすることで、開閉動作に伴う操作感向上および質感向上を実現する。【解決手段】グローブボックス２０の物品収納本体２２に、該グローブボックス２０が閉成位置から開放位置へ変位する過程で第１位置から第２位置へ移動する当接部５０を設ける。インストルメントパネル１０を構成する箱状部材３０に、第１位置から第２位置へ移動する当接部５０が当接することで弾性変形する弾性摺接部６０を設ける。弾性摺接部６０は、当接部５０として形成された突片部５２の移動方向に沿って延在し、かつ第２位置に臨む端部側で箱状部材３０に接合された舌片部６２である。舌片部６２は、突片部５２が第１位置から第２位置に接近するに従い、変形量が徐々に増大する。【選択図】図３
2008184067.tif 000002
【特許請求の範囲】
【請求項１】
車両内装部材に画成した格納部に回動可能に取付けられ、前記格納部内へ格納した閉成位置および該格納部から手前側へ傾倒させた開放位置の間で姿勢変位する物品収納部の開閉構造において、
前記物品収納部に一体的に形成され、該物品収納部が前記閉成位置から開放位置へ変位する過程で第１位置から第２位置へ移動する当接部と、
前記車両内装部材に一体的に形成され、前記第１位置から第２位置へ移動する前記当接部が当接することで弾性変形する弾性摺接部とを有する
ことを特徴とする物品収納部の開閉構造。
【請求項２】
前記弾性摺接部は、前記車両内装部材の構成部材に形成され、前記当接部の移動方向に沿って延在し、かつ前記第２位置に臨む端部側で該構成部材に接合された舌片部である請求項１記載の物品収納部の開閉構造。
【請求項３】
前記弾性摺接部は、前記車両内装部材の構成部材に形成され、前記当接部の移動方向に沿って延在し、かつ前記第２位置側が前記第１位置側より該当接部に近接するよう斜めに延在する撓曲部である請求項１記載の物品収納部の開閉構造。
【請求項４】
前記弾性摺接部は、前記当接部が前記第１位置から第２位置に接近するに従い、変形量が徐々に増大するよう構成されている請求項１〜３の何れか一項に記載の物品収納部の開閉構造。
【請求項５】
前記弾性摺接部に、前記当接部が係合可能な中間係合部を設けた請求項１〜４の何れか一項に記載の物品収納部の開閉構造。
【発明の詳細な説明】
【技術分野】
【０００１】
この発明は、物品収納部の開閉構造に関し、更に詳細には、車両内装部材に画成した格納部に回動可能に取付けられ、前記格納部内へ格納した閉成位置および該格納部から手前側へ傾倒させた開放位置の間で姿勢変位する物品収納部の開閉構造に関するものである。
【背景技術】
【０００２】
一般的に、種々の自動車における乗員室内において、運転席および助手席の前方には、車両内装部材としてのインストルメントパネルが配設されている。そして図８に示すように、インストルメントパネル１０の助手席側には、車検証等の書類や身辺の所持品等を収納可能な物品収納部としてのグローブボックス２０が配設されている。
【０００３】
グローブボックス２０は、図９または図１０に示すように、上方に開口したバケット形状の物品収納本体２２を主体とし、パネル基材１２の前側下部に画成された格納部１４において、該パネル基材１２に対してヒンジ機構を介して開閉可能に設置されている。従ってグローブボックス２０は、物品収納本体２２を格納部１４内へ格納した閉成位置と、該格納部１４から手前側へ傾倒させて物品収納本体２２をインストルメントパネル１０の前側に臨ませた開放位置との間で姿勢変位するようになっている。なお、物品収納本体２２の前側に前面パネル２４が組付けられており、該物品収納本体２２が閉成位置に保持された状態では、前面パネル２４が格納部１４の開口領域に整合して、インストルメントパネル１０の前側意匠面を構成するようになっている(図８)。このようなグローブボックスに関連する技術は、例えば特許文献１に開示されている。
【特許文献１】特開２００４−９０７１８号公報
【発明の開示】
【発明が解決しようとする課題】
【０００４】
ところで近年では、前述したグローブボックス２０のような開閉する形態の物品収納部に対し、開閉動作に伴う操作感向上および質感向上が求められている。すなわちグローブボックス２０は、特に物品収納本体２２内に多くの物品を収納してある状態で開放させると自体の重さによって一気に開放するので、開放位置に臨んで回動規制がかかる際に異音が発生し、操作感や質感が低くなってしまう。従って、操作感および質感の向上を図る対策として、例えば図９および図１０に示すように、エアダンパーまたはオイルダンパー等のダンパー装置２６を装備し、該ダンパー装置２６の減衰力を利用してグローブボックス２０のゆっくりかつ滑らかな開閉動作が発現されるようにした構成が提案されている。例えば図９は、ダンパー装置２６のロッド２６Ａと前面パネル２４をワイヤー２８で連結した構成であり、また図１０は、ダンパー装置２６のロッド２６Ａを前面パネル２４に直接連結した構成となっている。
【０００５】
しかし、図９および図１０に示した開閉構造では、ダンパー装置２６を装備することになるため、部品代が嵩んでコストアップを招来する課題があった。また、インストルメントパネル１０の内部に空間的な余裕がない場合は、物品収納本体２２のサイズを小さくしてダンパー装置２６の配設スペースを確保することになり、グローブボックス２０の物品収納容積が減少してしまう不都合もあった。更には、ダンパー装置２６の配設位置が制限されるので、グローブボックス２０のスムーズな開閉が得られない場合もあり得る。
【０００６】
本発明は、車両内装部材の構成部分および物品収納部の構成部分によりダンパー効果を発現し得る構成とすることで、開閉動作に伴う操作感向上および質感向上を実現した物品収納部の開閉構造を提供することを目的とする。
【課題を解決するための手段】
【０００７】
前記課題を解決し、所期の目的を達成するため、請求項１記載の発明は、車両内装部材に画成した格納部に回動可能に取付けられ、前記格納部内へ格納した閉成位置および該格納部から手前側へ傾倒させた開放位置の間で姿勢変位する物品収納部の開閉構造において、
前記物品収納部に一体的に形成され、該物品収納部が前記閉成位置から開放位置へ変位する過程で第１位置から第２位置へ移動する当接部と、
前記車両内装部材に一体的に形成され、前記第１位置から第２位置へ移動する前記当接部が当接することで弾性変形する弾性摺接部とを有することを要旨とする。
【０００８】
従って、請求項１に係る発明によれば、物品収納部に設けた当接部が、車両内装部材に設けた弾性摺接部に当接することで、該弾性摺接部の弾性変形により発生する復帰弾力によってダンパー効果が発現され、物品収納部の開閉動作に伴う操作感向上および質感向上が図られる。しかも、ダンパー効果を発揮する当接部および弾性摺接部が、物品収納部および車両内装部材に設けられて部品点数が増加しないので、コストアップを抑え得ると共に構成が簡素化される。特に、ダンパー装置等を別途装備する必要がないから、部品点数の増加に伴うコストアップが抑えられると共に、物品収納部の物品収納容積が減少しない。
【０００９】
請求項２に記載の発明は、請求項１記載の発明において、前記弾性摺接部は、前記車両内装部材の構成部材に形成され、前記当接部の移動方向に沿って延在し、かつ前記第２位置に臨む端部側で該構成部材に接合された舌片部であることを要旨とする。
従って、請求項２に係る発明によれば、弾性摺接部の舌片部が当接部の当接により弾性変形し、該舌片部の弾性変形により発生する復帰弾力によりダンパー効果が好適に発現される。
【００１０】
請求項３に記載の発明は、請求項１記載の発明において、前記弾性摺接部は、前記車両内装部材の構成部材に形成され、前記当接部の移動方向に沿って延在し、かつ前記第２位置側が前記第１位置側より該当接部に近接するよう斜めに延在する撓曲部であることを要旨とする。
従って、請求項３に係る発明によれば、弾性摺接部の撓曲部が当接部の当接により弾性変形し、該撓曲部の弾性変形により発生する復帰弾力によりダンパー効果が好適に発現される。
【００１１】
請求項４に記載の発明は、請求項１〜３の何れか一項に記載の発明において、前記弾性摺接部は、前記当接部が前記第１位置から第２位置に接近するに従い、変形量が徐々に増大するよう構成されていることを要旨とする。
従って、請求項４に係る発明によれば、姿勢変位する物品収納部が開放位置に近づくに従ってダンパー効果が徐々に増大し、該物品収納部が開放位置へゆっくりと臨むようになる。
【００１２】
請求項５に記載の発明は、請求項１〜４の何れか一項に記載の発明において、前記弾性摺接部に、前記当接部が係合可能な中間係合部を設けたことを要旨とする。
従って、請求項５に係る発明によれば、閉成位置と開放位置との間を姿勢変位する物品収納部を、中間係合部に当接部が係合した位置で停止保持させ得る。
【発明の効果】
【００１３】
本発明に係る物品収納部の開閉構造によれば、車両内装部材の構成部分および物品収納部の構成部分によりダンパー効果が発現されるので、コストアップや物品収納容積に影響を及ぼすことなく、開閉動作に伴う操作感向上および質感向上を実現し得る等の利点がある。
【発明を実施するための最良の形態】
【００１４】
次に、本発明に係る物品収納部の開閉構造につき、好適な実施例を挙げ、添付図面を参照しながら、以下に説明する。なお実施例では、物品収納部として、車両内装部材であるインストルメントパネルに配設したグローブボックスを例示する。従って、従来技術の説明のために引用した図８〜図１０に既出の部材、部位と同一の部材、部位に関しては、同一の符号を付して説明する。
【実施例】
【００１５】
(第１実施例)
図１は、第１実施例の開閉構造が採用されたグローブボックス２０が配設されたインストルメントパネル１０を、該グローブボックス２０が配設された格納部１４の部分で縦断した部分側断面図であり、同図の右側がインストルメントパネル１０の前側となっている。インストルメントパネル１０は、合成樹脂製のパネル基材１２を主体としており、基本的には図８に示した従来のインストルメントパネル１０と同一構成となっているので、ここでは詳細な説明は省略する。
【００１６】
パネル基材１２の前側下部には、インストルメントパネル１０の前方に開口した格納部１４が画成されている。この格納部１４は、図２に概略的に示すように、上壁部３２および左右の各側壁部３４,３４を有したインストルメントパネル１０の構成部材である箱状部材３０を、パネル基材１２に対して裏側から取付けることで、パネル基材１２から前方へ開口した凹部として構成されている。箱状部材３０は、例えばポリプロピレン(ＰＰ)等の合成樹脂を材質とするインジェクション成形部材であって、適度の柔軟性を有している。
【００１７】
グローブボックス２０は、パネル基材１２における前側下部に設けた格納部１４に対して収容可能なサイズに形成されており、バケット状の物品収納本体２２と、この物品収納本体２２と別体に成形されて該物品収納本体２２の前側に組付けられる前面パネル２４とから構成されている。物品収納本体２２は、ポリプロピレン(ＰＰ)等の合成樹脂を材質とする一体成形部材であり、内部に所要容積の物品収納空間が画成されていると共に、各種物品の出し入れを許容する物品出入口２２Ａが上部に形成されている。また前面パネル２４は、同じくポリプロピレン(ＰＰ)等の合成樹脂を材質とする一体成形部材であり、格納部１４の開口領域に合致するサイズ・形状とされて、パネル基材１２の一部として構成されるようになっている。
【００１８】
前面パネル２４の中央上部には、グローブボックス２０の開閉操作を行なうための開閉操作レバー３６が、支持軸３８を介して該前面パネル２４に回動可能に配設されている。この開閉操作レバー３６は、前面パネル２４の前側から外方へ露出して指先を掛け得るようになっている操作部３６Ａと、この操作部３６Ａの背面から後方側に一体的に形成され、物品収納本体２２に形成した開口部を介して上方へ延出する係止部３６Ｂからなっている。そして、開閉操作レバー３６の係止部３６Ｂは、グローブボックス２０が閉成位置に臨んだ際に、格納部１４の上方に垂設したストライカ１６に係脱可能に係止されるようになっている。
【００１９】
前述したグローブボックス２０は、物品収納本体２２の左右側壁部における下端部に配設した突ピン４０,４０を、箱状部材３０の側壁部３４,３４における下端部に形成した支持孔４２,４２に夫々突入嵌合させることで、パネル基材１２に対して回動可能に取付けられる。従ってグローブボックス２０は、物品収納本体２２を格納部１４内へ格納すると共に前面パネル２４をパネル基材１２に整合させた閉成位置(図１の実線状態)と、パネル基材１２の前方へ傾動して物品収納本体２２を外方へ臨ませた開放位置(図１の２点鎖線状態)との間で、回動しながら姿勢変位し得るようになっている。なお、グローブボックス２０の重心位置は、突ピン４０を通る垂直基準線より前上方に位置しており、開閉操作レバー３６を操作して係止部３６Ｂとストライカ１６との係止が解除された際には、自重で開放位置側へ姿勢変位するようになっている。
【００２０】
また、物品収納本体２２の左右の側壁部２２Ｂ,２２Ｂにおける中央上部に、箱状部材３０の側壁部３４,３４に形成されたガイドレール４６に突入するガイドピン４４が突設されている。このガイドピン４４は、グローブボックス２０が閉成位置に臨んだ際にはガイドレール４６の後端４６Ａに当接し、該グローブボックス２０が開放位置に臨んだ際には該ガイドレール４６の前端４６Ｂに当接するようになっており、所謂ストッパーとして機能して該グローブボックス２０の回動領域を規定するようになっている。
【００２１】
そして、第１実施例の開閉構造では、図１および図２に示すように、グローブボックス２０の物品収納本体２２に設けた当接部５０と、インストルメントパネル１０を構成する箱状部材３０に設けた弾性摺接部６０とを更に有している。すなわち、第１実施例の開閉構造では、後述するように、グローブボックス２０が自重により閉成位置から開放位置へ姿勢変位するに際し、当接部５０が弾性摺接部６０に当接して該弾性摺接部６０を弾性変形させ、該弾性摺接部６０の復帰弾力を利用してダンパー効果を発現するよう構成されている。
【００２２】
当接部５０は、図１および図２に示すように、物品収納本体２２における後壁部２２Ｃの上端縁中央から上方へ突出した突片部５２により構成され、該物品収納本体２２に一体的に形成されている。この突片部５２は、グローブボックス２０が閉成位置に臨んだ場合には、格納部１４の上部後方となる第１位置に臨むと共に(図１に実線表示)、該グローブボックス２０が開放位置に臨んだ場合には、格納部１４の上部前方となる第２位置に臨むようになっている(図１に２点鎖線表示)。なお第１位置は、図１に示すように、物品収納本体２２の回動中心となる突ピン４０の略真上に位置しており、また第２位置は、第１位置より前方でかつ下方に位置している。従って、グローブボックス２０が閉成位置から開放位置へ姿勢変位する過程において、第１位置から第２位置に移動する突片部５２の頂縁部５４の移動軌跡は、図１に示すように、突ピン４０を中心とした上方へ突出する円弧状となり、箱状部材３０の上壁部３２より上方へ突出するようになっている。
【００２３】
弾性摺接部６０は、図１および図２に示すように、合成樹脂製の箱状部材３０における上壁部３２の左右中央に横長コ字形のスリットを形成することで、該箱状部材３０に一体的に形成された舌片部６２により構成される。すなわち舌片部６２は、第１位置と第２位置との間を移動する突片部５２の移動方向に沿って延在し、かつ第２位置に臨む前側の端部(基端６２Ａ)側で箱状部材３０の上壁部３２に連設されている。従って舌片部６２は、突片部５２の頂縁部５４が下方から当接した際に、第１位置に臨む後側の端部(自由端６２Ｂ)側が上方へ移動するよう撓曲的に弾性変形し、この弾性変形に伴って復帰弾力が発現するよう構成されている。なお図２に示すように、舌片部６２が弾性変形することで上壁部３２に形成される開口部６４の幅寸法は、突片部５２の幅寸法より大きく設定され、該舌片部６２が開口部６４内に延出しながら移動し得るようになっている。
【００２４】
前述した第１実施例のグローブボックス２０は、該グローブボックス２０が閉成位置に停止して格納部１４内に格納され、当接部５０が第１位置に臨んでいる場合は、図１に示すように、突片部５２が舌片部６２の自由端６２Ｂに非接触状態で近接し、該弾性摺接部６０が変形しないようになっている。なお、物品収納本体２２内に物品がある場合は勿論、該物品収納本体２２内に物品が全く入っていない場合でも、グローブボックス２０の重心は、突ピン４０より前上方に位置している。
【００２５】
グローブボックス２０が閉成位置から開放位置へ姿勢変位する際には、図３(ａ)および図３(ｂ)に示すように、第１位置から第２位置に向けて円弧状に移動する突片部５２が、開口部６４に臨んで舌片部６２に下方から当接するようになる。そして突片部５２は、第１位置から該第１位置と第２位置との略中間位置まで移動する際は、徐々に上方へ移動して上壁部３２から徐々に突出するので、舌片部６２の変形量を徐々に増大させる。また突片部５２は、前述した略中間位置から第２位置へ移動する際は、徐々に下方へ移動するようになるが、舌片部６２の基端６２Ａに近接するため、該舌片部６２の変形量は更に増大するようになる。すなわち、第１実施例の開閉構造では、突片部５２が第１位置から第２位置に移動するに従って舌片部６２の変形量が徐々に増大し、これに伴って該舌片部６２の復帰弾力が徐々に増大するよう構成されている。
【００２６】
従って、第１実施例の開閉構造を採用したグローブボックス２０は、閉成位置から開放位置へ自重により姿勢変位するに際し、突片部５２の当接によって舌片部６２が撓曲的に弾性変形し、該舌片部６２に発生する復帰弾力によって発現されるダンパー効果により、開放位置に向けてゆっくりと回動するようになる。しかも、グローブボックス２０が閉成位置から回動し始めた姿勢変位の初期段階では、舌片部６２の変形量が小さいので該グローブボックス２０の回動速度が速く、グローブボックス２０が開放位置に近づくに従って該舌片部６２の変形量が徐々に増大するので、該グローブボックス２０の回動速度は徐々に小さくなっていく。すなわち、グローブボックス２０が開放位置に臨む際には、ガイドピン４４がガイドレール４６の前端４６Ｂにゆっくりと当接するようになり、該クローブボックス２０が開放位置まで一気に開放したり、衝撃を伴いながら開放位置で停止することがない。
【００２７】
前述した第１実施例の開放構造によれば、グローブボックス２０の物品収納本体２２に設けた当接部５０の突片部５２が、格納部１４を画成する箱状部材３０に設けた弾性摺接部６０の舌片部６２に当接することで、該舌片部６２の弾性変形により発生する復帰弾力によってダンパー効果が発現されるようになり、グローブボックス２０の開閉動作に伴う操作感向上および質感向上が図られる。また、ダンパー装置等を別途装備する必要がないから、部品点数の増加に伴うコストアップを抑え得ると共に、物品収納本体２２のサイズを小さく変更する必要がないのでグローブボックス２０の物品収納容積が減少する不都合も生じない。すなわち、ダンパー効果を発現する当接部５０および弾性摺接部６０が、グローブボックス２０の物品収納本体２２およびインストルメントパネル１０の箱状部材３０に夫々一体的に形成されるため、部品点数が増加しないと共に構成が簡素化される。更に、グローブボックス２０が開放位置に近づくに従ってダンパー効果が増大するので、該グローブボックス２０が開放位置へゆっくりと臨むようになり、衝撃を伴いながら開放位置で停止することがないので、開放位置への停止時に異音が発生することがない。
【００２８】
(第２実施例)
図４は、第２実施例の開閉構造を採用したグローブボックス２０が配設されたインストルメントパネル１０を、該グローブボックス２０が配設された格納部１４の部分で縦断した部分側断面図である。なお、インストルメントパネル１０、グローブボックス２０の基本構成は第１実施例と同じので、同一部材、部位には同一の符号を付し、説明は省略する。
【００２９】
第２実施例の開閉構造では、図４および図５に示すように、該グローブボックス２０の物品収納本体２２に設けた当接部５０と、インストルメントパネル１０を構成する箱状部材３０に設けた弾性摺接部６０とを更に有している。当接部５０は、前述した第１実施例の当接部５０と基本的に同一で、物品収納本体２２における後壁部２２Ｃの上端縁中央から上方へ突出した突片部５２であり、該物品収納本体２２に一体的に形成されている。
【００３０】
弾性摺接部６０は、図４および５に示すように、合成樹脂製の箱状部材３０における上壁部３２に、前後方向に延在する第１開口部６６と、該第１開口部６６の左右両側において前後方向に延在する第２開口部６８,６８とを形成することで、当接部５０の移動方向に沿って延在し、かつ第２位置側が第１位置側より該当接部５０に近接するよう斜めに延在する２本の撓曲部７０,７０により構成されている。各撓曲部７０,７０は、図６(ａ)に示すように、短手方向において上壁部３２の面方向に沿った方向の厚みＴが、長手方向において均一であって、例えば１〜２ｍｍ程度に設定されている。従って各撓曲部７０,７０は、第１開口部６６の側から側方へ押圧すると、第２開口部６８の側へ撓曲的に弾性変形して復帰弾力が発生し、また押圧を解除すると元の形状に復帰するようになっている。
【００３１】
また、各撓曲部７０,７０の左右方向の間隔は、図６(ａ)に示すように、各撓曲部７０,７０が第２位置側に向かうに従って相互に近接するように延在しているので、第１位置に臨む部位での間隔Ｌ１が突片部５２の幅Ｗより大きく設定されており、第２位置に臨む部位での間隔Ｌ２が該当接部５０の幅Ｗより小さく設定されている。すなわち、第１開口部６６に延出する突片部５２は、第１位置に臨んでいる際には各撓曲部７０,７０に接触せず、第１位置から第２位置に向けて適宜移動した位置(図６(ｂ)に２点鎖線で表示)まで移動すると、該突片部５２の各側縁部５６,５６が対応の撓曲部７０,７０に当接するようになっている。そして、突片部５２が第２位置に近づくに従って各撓曲部７０,７０の変形量が徐々に増大し、これに伴って該舌片部６２の復帰弾力が徐々に増大するよう構成されている。
【００３２】
従って、第２実施例の開閉構造を採用したグローブボックス２０は、閉成位置から開放位置へ自重により姿勢変位するに際し、突片部５２の当接によって各撓曲部７０,７０が撓曲的に弾性変形し、該撓曲部７０,７０に発生する復帰弾力によって発現されるダンパー効果により、開放位置に向けてゆっくりと回動するようになる。しかも、グローブボックス２０が閉成位置から回動し始めた姿勢変位の初期段階では、各撓曲部７０,７０の変形量が小さいので該グローブボックス２０の回動速度が速く、グローブボックス２０が開放位置に近づくに従って該撓曲部７０,７０の変形量が徐々に増大するので、該グローブボックス２０の回動速度が徐々に小さくなっていく。すなわち、グローブボックス２０が開放位置に臨む際には、ガイドピン４４がガイドレール４６の前端４６Ｂにゆっくりと当接するようになり、該クローブボックス２０が開放位置まで一気に開放したり、衝撃を伴いながら開放位置で停止することがない。
【００３３】
前述した第２実施例の開放構造によれば、グローブボックス２０の物品収納本体２２に設けた当接部５０の突片部５２が、格納部１４を画成する箱状部材３０に設けた弾性摺接部６０の撓曲部７０,７０に当接することで、該撓曲部７０,７０の弾性変形により発生する復帰弾力によってダンパー効果が発現されるようになり、グローブボックス２０の開閉動作に伴う操作感向上および質感向上が図られる。また、ダンパー装置等を別途装備する必要がないから、部品点数の増加に伴うコストアップを抑え得ると共に、物品収納本体２２のサイズを小さく変更する必要がないのでグローブボックス２０の物品収納容積が減少する不都合も生じない。すなわち、ダンパー効果を発現する当接部５０および弾性摺接部６０が、グローブボックス２０の物品収納本体２２およびインストルメントパネル１０の箱状部材３０に夫々一体的に形成されるため、部品点数が増加しないと共に構成が簡素化される。更に、グローブボックス２０が開放位置に近づくに従ってダンパー効果が増大するので、該グローブボックス２０が開放位置へゆっくりと臨むようになり、衝撃を伴いながら開放位置で停止することがないので、開放位置への停止時に異音が発生することがない。
【００３４】
(第２実施例の変更例)
図７(ａ)および図７(ｂ)は、第２実施例の変更例に係る開閉構造を示した説明図である。この変更例に係る開閉構造では、弾性摺接部６０の各撓曲部７０,７０において、当接部５０の突片部５２が当接する側端面に、該撓曲部７０,７０の長手方向へ所要間隔毎に合計２個の中間係合部７２を設けたものである。このように各撓曲部７０,７０に適宜数の中間係合部７２を設けた場合は、グローブボックス２０の姿勢変位に伴って突片部５２が、第１位置と第２位置との間を移動する際に各中間係合部７２に整合すると該中間係合部７２に弾力的に係合するので、閉成位置と開放位置との間を姿勢変位するグローブボックス２０を、中間係合部７２に突片部５２が係合した位置で停止保持させ得る。すなわち、図７に示した開閉構造の場合は、開放位置と中間位置との間における２箇所の位置で、グローブボックス２０を停止保持させることが可能である。なお、中間係合部７２の配設数は２個に限定されるものではなく、１個または３個以上でもよい。
【００３５】
また、図示省略するが、前述した第１実施例に示した舌片部６２に、中間係合部７２を設けることも可能である。すなわち、弾性摺接部６０の舌片部６２において、当接部５０の突片部５２が当接する下面に、該舌片部６２の長手方向へ所要間隔毎に適宜数の中間係合部７２を設ければ、グローブボックス２０の姿勢変位に伴って突片部５２が、第１位置と第２位置との間を移動する際に各中間係合部７２に整合すると該中間係合部７２に弾力的に係合するので、閉成位置と開放位置との間を姿勢変位するグローブボックス２０を、中間係合部７２に突片部５２が係合した位置で停止保持させ得る。
【００３６】
なお、当接部５０および弾性摺接部６０により構成される開閉構造は、前述した第１実施例および第２実施例に例示した態様のものに限定されるものではなく、例えば次のように変更することが可能である。
(１)グローブボックス２０の物品収納本体２２における側壁部２２Ｂ,２２Ｂの一方または両方に、前述した各実施例に示した突片部５２の如き当接部５０を設けると共に、箱状部材３０における側壁部３４,３４の一方または両方に、前述した各実施例に示した舌片部６２または撓曲部７０の如く弾性摺接部６０を設けても、別途のダンパー装置を装備することなくダンパー効果を発現させることができる。
(２)第１実施例における弾性摺接部６０の舌片部６２は、第１位置に臨む後側の端部で上壁部３２に連設し、第２位置に臨む前側の端部側を自由端とするように構成してもよい。
(３)第１実施例における弾性摺接部６０の舌片部６２は、該舌片部６２の配設位置や、当接部５０の突片部５２が当接する下面形状を様々に変更することで、第１位置から第２位置に移動する該突片部５２との当接タイミングや当接度合を変更することで、ダンパー効果のチューニングを容易に行なうことができる。
(４)第２実施例における弾性摺接部６０の撓曲部７０を左右の何れか１本として、当接部５０の突片部５２の一方の側縁部５６に当接するように形成してもよい。
(５)第２実施例における弾性摺接部６０の撓曲部７０は、第１位置に臨む後側の端部だけを箱状部材３０の上壁部３２に連設させ、第２位置に臨む前側の端部を該上壁部３２から分離させた片持ち形態としてもよい。
(６)第２実施例における弾性摺接部６０の撓曲部７０は、該撓曲部７０の配設位置や、当接部５０の突片部５２が当接する側面形状を様々に変更することで、第１位置から第２位置に移動する該突片部５２との当接タイミングや当接度合を変更することで、ダンパー効果のチューニングを容易に行なうことができる。
(７)本願が対象とする物品収納部は、インストルメントパネル１０に取付けられるグローブボックス２０に限定されず、例えばドアパネルに設けたドアポケットやフロアコンソールに設けた収納ボックス等、開閉タイプとして構成される物品収納部の全てが対象とされる。
【図面の簡単な説明】
【００３７】
【図１】第１実施例の開閉構造が採用されたグローブボックスが配設されたインストルメントパネルを、該グローブボックスが配設された格納部の部分で縦断した部分側断面図である。
【図２】グローブボックスの物品収納本体に設けた当接部の突片部と、格納部を画成する箱状部材に設けた弾性摺接部の舌片部とを示した概略斜視図である。
【図３】グローブボックスが閉成位置から開放位置へ姿勢変位する際の突片部と舌片部との関係を示した説明図であって、(ａ)は、グローブボックスが閉成位置から姿勢変位を開始した直後の状態で示し、(ｂ)は、グローブボックスが開放位置に近づいた状態で示している。
【図４】第２実施例の開閉構造が採用されたグローブボックスが配設されたインストルメントパネルを、該グローブボックスが配設された格納部の部分で縦断した部分側断面図である。
【図５】グローブボックスの物品収納本体に設けた当接部の突片部と、格納部を画成する箱状部材に設けた弾性摺接部の撓曲部とを示した概略斜視図である。
【図６】グローブボックスが閉成位置から開放位置へ姿勢変位する際の突片部と撓曲部との関係を示した説明図であって、(ａ)は、グローブボックスが閉成位置から姿勢変位を開始した直後の状態で示し、(ｂ)は、グローブボックスが開放位置に近づいた状態で示している。
【図７】第２実施例の変更例に係る開閉構造を示した説明図であって、(ａ)は、撓曲部に設けた中間係合部を示し、(ｂ)は、各中間係合部に突片部が係合する位置毎に、グローブボックスを停止保持させ得る状態を示している。
【図８】グローブボックスを配設したインストルメントパネルの部分斜視図である。
【図９】ダンパー装置を装備したグローブボックスの一例を示した概略斜視図である。
【図１０】ダンパー装置を装備したグローブボックスの別例を示した概略斜視図である。
【符号の説明】
【００３８】
１０ インストルメントパネル(車両内装部材)，１４ 格納部
２０ グローブボックス(物品収納部)，３０ 箱状部材(構成部材)，５０ 当接部
５２ 突片部，５４ 頂縁部，５６ 側縁部，６０ 弾性摺接部，６２ 舌片部，７０ 撓曲部
７２ 中間係合部
【図１】
2008184067.tif 000003
【図２】
2008184067.tif 000004
【図３】
2008184067.tif 000005
【図４】
2008184067.tif 000006
【図５】
2008184067.tif 000007
【図６】
2008184067.tif 000008
【図７】
2008184067.tif 000009
【図８】
2008184067.tif 000010
【図９】
2008184067.tif 000011
【図１０】
2008184067.tif 000012